(57)【要約】【課題】  スキャナユニットの回動支点とペーパーサポートの先端とが隣接する構成を採用するという前提において、蓋体としても機能するペーパーサポートを閉じた状態でスキャナユニットを開放したときに、ペーパーサポートの破損を防止できる蓋体の破損防止装置を提供すること。【解決手段】  開閉ユニット５の後端側には、開閉ユニット５の回動軸５１より上側において回動可能に接続されている蓋体浮動作用部材２９を備え、蓋体浮動作用部材の後端側には持上作用部４７が形成されており、蓋体浮動作用部材は、開閉ユニットを開放していく過程の少なくとも初期段階で開閉ガイド３５に沿って後方へ移行することで、持上作用部４７が蓋体１９の下面に作用して蓋体の被当接部４３を持ち上げる。【選択図】図１２
2005223415.tif 000002
【特許請求の範囲】
【請求項１】
後端側に突出部を有する回動軸の周りで上方に回動して開放可能な開閉ユニットの後側に、前記開閉ユニットと同方向に開閉可能な蓋体が隣接しており、前記蓋体の閉鎖状態で前記開閉ユニットを開いたときに前記突出部の一部が前記蓋体の先端側に形成された被当接部に食い込んで破損する可能性のある装置において、
前記開閉ユニットの後端側には、前記開閉ユニットの回動軸より上側において回動可能に接続されている蓋体浮動作用部材を備え、前記蓋体浮動作用部材の後端側には持上作用部が形成されており、
前記蓋体浮動作用部材は、前記開閉ユニットを開放していく過程の少なくとも初期段階で開閉ガイドに沿って後方へ移行することで、前記持上作用部が前記蓋体の下面に作用して前記蓋体の被当接部を持ち上げることを特徴とする蓋体の破損防止装置。
【請求項２】
請求項１において、前記開閉ユニットの突出部における後端上部には当接作用部が形成されており、前記開放の初期段階において前記蓋体の被当接部が持ち上げられた後は、前記開閉ユニットの開放に伴い前記被当接部が前記開閉ユニットの当接作用部に案内されて前記蓋体が回動することを特徴とする蓋体の破損防止装置。
【請求項３】
請求項１または２において、前記蓋体浮動作用部材の持上作用部の下側には傾斜案内部が形成され、前記開閉ガイドは、前端に傾斜面を有する上昇ガイド部を備えており、前記蓋体浮動作用部材が開閉ガイドに沿って後方へ移行する際に、前記傾斜案内部が前記上昇ガイド部の傾斜面に沿って上方へ案内されることで、前記蓋体の被当接部の持ち上げを助長することを特徴とする蓋体の破損防止装置。
【請求項４】
請求項１〜３のいずれか１項において、前記開閉ユニットと蓋体が共に閉鎖した状態では、前記開閉ユニットの上面と蓋体の上面は面一状態であることを特徴とする蓋体の破損防止装置。
【請求項５】
請求項１〜４のいずれか１項において、前記開閉ユニットはスキャナ付き記録装置のスキャナユニットであり、前記蓋体はスキャナ付き記録装置の媒体サポートであり、前記蓋体浮動作用部材は、スキャナ付き記録装置においてスキャナユニットを開放したときにスキャナユニット上に載っている異物が被記録媒体の給送口内へ落下することを防止するように後方側へ移行する異物落下防止カバーであることを特徴とする蓋体の破損防止装置。
【請求項６】
請求項５に記載の蓋体の破損防止装置を備えていることを特徴とする記録装置。
【請求項７】
請求項１〜４のいずれか１項において、前記開閉ユニットはスキャナ付き液体噴射装置のスキャナユニットであり、前記蓋体はスキャナ付き液体噴射装置の媒体サポートであり、前記蓋体浮動作用部材は、スキャナ付き液体噴射装置においてスキャナユニットを開放したときにスキャナユニット上に載っている異物が被噴射媒体の給送口内へ落下することを防止するように後方側へ移行する異物落下防止カバーであることを特徴とする蓋体の破損防止装置。
【請求項８】
請求項７に記載の蓋体の破損防止装置を備えていることを特徴とする液体噴射装置。
【発明の詳細な説明】
【技術分野】
【０００１】
本発明は、スキャナ機能付きの記録装置または液体噴射装置などのように、二つの同じ方向に開閉可能な回動式の蓋体が、互いに隣接している構造を備える装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
特許文献１には、記録紙を載置した状態で保持するペーパーサポートと、記録紙の倒れを防止するペーパーガイドを備える印字装置において、ペーパーサポートを印字装置の前後方向に回動可能に取付け、ペーパーガイドをペーパーサポートに対して上下方向にスライド可能に取り付ける構成が開示されている。一方、近年、記録装置の上面にスキャナ装置を設けたスキャナ付き記録装置が開発されており、かかるスキャナ付き記録装置は、通常、装置の後方側に位置する回動軸を中心としてスキャナユニットを前後方向に回動して開放可能としている。
【０００５】
このようなスキャナ付き記録装置に、特許文献１に開示されたような前後方向に回動可能なペーパーサポートを適用する場合、装置全体の前後寸法を小さくするため、スキャナユニットの回動支点とペーパーサポートの先端とが隣接する構成を採用することが要請される。しかしこのような構成を採用する場合、ペーパーサポートを閉じた状態でスキャナユニットを開放するとき、スキャナユニットの回動支点付近に構造上設けられる突出部が、ペーパーサポートの前端部分に食い込み、該部分を破損してしまう可能性がある。
【０００６】
【特許文献１】特開昭６２−１７０３７０号公報
【発明の開示】
【発明が解決しようとする課題】
【０００７】
そこで本発明の課題は、スキャナユニットのような開閉ユニットの回動支点と、前後方向に回動可能なペーパーサポートのような蓋体の先端とが隣接する構成を採用するという前提において、蓋体としても機能するペーパーサポートのような構成部材を閉じた状態でスキャナユニットのような開閉ユニットを開いたときに、閉じた状態の蓋体の破損を防止できる蓋体の破損防止装置を提供することにある。
【課題を解決するための手段】
【０００８】
上記課題を達成するため、本発明の第１の態様に係る蓋体の破損防止装置は、後端側に突出部を有する回動軸の周りで上方に回動して開放可能な開閉ユニットの後側に、前記開閉ユニットと同方向に開閉可能な蓋体が隣接しており、前記蓋体の閉鎖状態で前記開閉ユニットを開いたときに前記突出部の一部が前記蓋体の先端側に形成された被当接部に食い込んで破損する可能性のある装置において、前記開閉ユニットの後端側には、前記開閉ユニットの回動軸より上側において回動可能に接続されている蓋体浮動作用部材を備え、前記蓋体浮動作用部材の後端側には持上作用部が形成されており、前記蓋体浮動作用部材は、前記開閉ユニットを開放していく過程の少なくとも初期段階で開閉ガイドに沿って後方へ移行することで、前記持上作用部が前記蓋体の下面に作用して前記蓋体の被当接部を持ち上げることを特徴とするものである。
【０００９】
本発明の第１の態様によれば、開閉ユニットが開放し始めるとき、開閉ユニットの回動軸より上側に回動支点を有する蓋体浮動作用部材が後方側へ移行する。そして蓋体浮動作用部材の後端の持上作用部が蓋体の下面に作用することで、蓋体が若干上方へ開き、これにより蓋体の前側に位置する被当接部が持ち上げる。そのため、開閉ユニットの突出部が蓋体の被当接部に食い込むことが防止され、蓋体の破損を回避することができる。またこのような構成を採用することで、蓋体を開閉ユニットに近接して設けることができるため、前後方向寸法が小さな装置を提供できる。
【００１０】
また、本発明の第２の態様に係る蓋体の破損防止装置は、上記第１の態様において、前記開閉ユニットの突出部における後端上部には当接作用部が形成されており、前記開放の初期段階において前記蓋体の被当接部が持ち上げられた後は、前記開閉ユニットの開放に伴い前記被当接部が前記開閉ユニットの当接作用部に案内されて前記蓋体が回動することを特徴とするものである。  
本態様によれば、一旦、蓋体の被当接部が持ち上がった後は、蓋体の被当接部が開閉ユニットの後端に位置する当接作用部に寄り掛かるようにして案内され、蓋体が開閉ユニットの開き具合に応じて自由に回動するようになる。
【００１１】
また、本発明の第３の態様に係る蓋体の破損防止装置は、上記第１または２の態様において、前記蓋体浮動作用部材の持上作用部の下側には傾斜案内部が形成され、前記開閉ガイドは、前端に傾斜面を有する上昇ガイド部を備えており、前記蓋体浮動作用部材が開閉ガイドに沿って後方へ移行する際に、前記傾斜案内部が前記上昇ガイド部の傾斜面に沿って上方へ案内されることで、前記蓋体の被当接部の持ち上げを助長することを特徴とするものである。  
本態様によれば、開閉ユニットの開放に伴う蓋体浮動作用部材の後方への移行の際に、傾斜案内部が上昇ガイド部の傾斜面に沿って上方へ案内されることで、持上作用部が蓋体の下面を上方へ持ち上げるようになる。その結果、蓋体の被当接部の持ち上げ作用が助長される。
【００１２】
また、本発明の第４の態様に係る蓋体の破損防止装置は、上記第１〜第３のいずれかの態様において、前記開閉ユニットと蓋体が共に閉鎖した状態では、前記開閉ユニットの上面と蓋体の上面は面一状態であることを特徴とするものである。  
本態様によれば、本発明が適用される装置全体の上面をほぼ平らの状態にすることができる。
【００１３】
また、本発明の第５の態様に係る蓋体の破損防止装置は、上記第１〜第４のいずれかの態様において、前記開閉ユニットはスキャナ付き記録装置のスキャナユニットであり、前記蓋体はスキャナ付き記録装置の媒体サポートであり、前記蓋体浮動作用部材は、スキャナ付き記録装置においてスキャナユニットを開放したときにスキャナユニット上に載っている異物が被記録媒体の給送口内へ落下することを防止するように後方側へ移行する異物落下防止カバーであることを特徴とするものである。
【００１４】
本態様によれば、スキャナユニットが開放し始めるとき、スキャナユニットの回動軸より上側に回動支点を有する異物落下防止カバーが後方側へ移行する。そして異物落下防止カバーの後端の持上作用部が媒体サポートの下面に作用することで、媒体サポートが若干上方へ開き、これにより媒体サポートの前側に位置する被当接部が持ち上げる。そのため、スキャナユニットの突出部が媒体サポートの被当接部に食い込むことが防止され、媒体サポートの破損を回避することができる。
【００１５】
また異物落下防止カバーにより、スキャナユニットを開けた際に、スキャナユニット上に載っている異物が被記録媒体の給送口内へ落下することを防止する作用と、上記の媒体サポートの被当接部の持ち上げ作用の両方の作用が得られる。更に媒体サポートをスキャナユニットに近接して設けることができるため、前後方向寸法が小さなスキャナ付き記録装置を提供できる。
【００１６】
また、本発明の第６の態様に係る記録装置は、上記第５の態様の蓋体の破損防止装置を備えていることを特徴とするものである。本態様によれば、スキャナユニットを開けた際に媒体サポートの前端側に食い込んで媒体サポートを破損する事故を防止することができる。
【００１７】
また、本発明の第７の態様に係る蓋体の破損防止装置は、上記第１〜第４のいずれかの態様において、前記開閉ユニットはスキャナ付き液体噴射装置のスキャナユニットであり、前記蓋体はスキャナ付き液体噴射装置の媒体サポートであり、前記蓋体浮動作用部材は、スキャナ付き液体噴射装置においてスキャナユニットを開放したときにスキャナユニット上に載っている異物が被噴射媒体の給送口内へ落下することを防止するように後方側へ移行する異物落下防止カバーであることを特徴とするものである。
【００１８】
また、本発明の第８の態様に係る液体噴射装置は、上記第７の態様の蓋体の破損防止装置を備えていることを特徴とするものである。
【発明を実施するための最良の形態】
【００１９】
以下、本願発明の実施の形態を図面に基づいて説明する。図１は本発明に係る蓋体の破損防止装置を適用したスキャナ付き記録装置１を示す後方斜視図であり、図２は媒体サポートだけを開放した状態のスキャナ付き記録装置の前方斜視図であり、図３は媒体サポートだけを開放した状態の記録装置の側断面図であり、図４は媒体サポートを開き、スキャナユニットを若干開けた状態を示す記録装置の斜視図であり、図５は異物落下防止カバーが最上位の被記録媒体（液体噴射装置では被噴射媒体に相当する）に当接した時点での状態を示す記録装置の側断面図であり、図６は異物落下防止カバーが被記録媒体に案内され上昇した状態を示す記録装置の側断面図であり、図７はスキャナユニットと異物落下防止カバーとが連動している作動状態を示す記録装置の側断面図であり、図８は媒体サポートを開き、スキャナユニットが閉じているときの給送部の拡大斜視図であり、図９は媒体サポートを開き、スキャナユニットを若干開けたときの給送部の拡大斜視図である。また図１０は異物落下防止カバーが使用位置にあるときのスキャナユニットの斜視図であり、図１１は異物落下防止カバーをスキャナユニット側に倒したときのスキャナユニットの斜視図である。
【００２０】
図１に示す如くスキャナ付き記録装置１は、装置本体３と、装置本体３の上面側に位置し開閉ユニットに相当するスキャナユニット５と、スキャナユニット５の後方側に設けられる被記録媒体給送部７（以下、単に給送部という）とを備えて成る。尚、本発明ではスキャナユニット５を開放していく方向が後方であり、その反対側が前方である。
【００２１】
装置本体３は、主としてインクジェット式プリンタの機能、即ち給送部７から給送された被記録媒体Ｐに記録を行う記録ヘッド、記録ヘッドを支持しながら主走査方向に走査可能なキャリッジ及び被記録媒体Ｐを給送および排出するための種々のローラからなる駆動系を備えているが、これらは本発明の本質とは関係が薄いので図示およびその説明を省略する。尚、図２中、符号９で示す部材は被記録媒体の排出受け部を示し、図２中では閉鎖した状態で示されているが、プリンタ機能の使用時には排出受け部９を手前側にほぼ９０°回動した状態で記録後の被記録媒体を受けるようにして使用する。また装置本体３の上面左側（図１では右側になっている）には操作パネル１１が設けられており、スキャナユニット５を使用したスキャニング機能、装置本体３での記録機能及びスキャニングした画像を記録する機能などがこの操作パネル１１で操作可能となっている。
【００２２】
スキャナユニット５は回動軸１３を中心に上方へ回動することにより開閉可能なスキャナ押さえ蓋を備え、スキャナ押さえ蓋の下側にはスキャニングを行う際に印刷物等を載置するガラス載置面（図示せず）が形成されている。更にガラス載置面の下側にはスキャニング装置（図示せず）が設けられている。スキャナユニット５は、図４に示す如く、それ自体が全体として回動軸１７を中心に上方へ回動することで装置本体３の上部が開放し、キャリッジ等の記録部（液体噴射装置では液体噴射部に相当する）の部材のメンテナンス等ができるようになっている。またスキャナユニット５には、図１０、図１１に示す如く、２つの差込部６が形成されており、これらの差込部６を装置本体３側に形成された図示しない差込受け部に差し込むことで、スキャナユニット５が装置本体３に取付可能となっている。
【００２３】
図１に示す如く給送部７は、不使用時には蓋体１９によって閉鎖されており、蓋体１９はその回動軸２１（図１）を中心に図２に示す如く後方側へ回動することにより給送部７が開放状態となり、また蓋体１９は一定角度位置で固定されることにより媒体サポート２３として機能するようになる。媒体サポート２３には、被記録媒体Ｐの幅寸法に合わせて可動なエッジガイド２５が設けられている。蓋体１９が開放状態にある時、給送部７には給送口２７が形成され、図４に示す如く媒体サポート２３にストックされた被記録媒体Ｐが図示しない送り機構により一枚ずつ給送口２７から記録部へ送り出されるようになっている。給送口２７の前後方向の幅は、任意に設定可能であるが、少なくとも媒体サポート２３に被記録媒体Ｐをストックできる最大枚数の厚さ分は必要である。仮に給送口２７の前後方向の幅を、被記録媒体Ｐをストックできる最大枚数の厚さと等しくした場合には、該最大枚数の被記録媒体をストックした状態では、給送口２７は被記録媒体によって閉鎖された状態となる。
【００２４】
図３、図５、図６及び図７に示す如く、給送口２７内には蓋体浮動作用部材に相当する異物落下防止カバー２９が設けられている。異物落下防止カバー２９は図８などに一部が示されているように、内側が凹んだトレー状の形態を有した異物受け部３０を有しており、図７に示す如く、その前端側はスキャナユニット５の後端側において、スキャナユニット５の回動軸１７より上側に位置する回動軸３１の周囲で回動可能に接続されている。これによりスキャナユニット５を開けるように回動させたとき、図７中矢印３３で示すように異物落下防止カバー２９は後方へ移行しながら、給送口２７を閉鎖することができる。
【００２５】
図８に示す如く、異物落下防止カバー２９の両側には開閉ガイド３５が形成されており、スキャナユニット５の開閉に伴い異物落下防止カバー２９が前後方向に移動するとき、この開閉ガイド３５により、異物落下防止カバー２９の自由端３７が案内される。異物落下防止カバー２９の自由端３７は図７に示す如く、後端から下側に掛けて円弧状に丸みを帯びて形成されており、開閉ガイド３５に沿って滑らかにスライドできるようになっている。
【００２６】
異物落下防止カバー２９の長さ、即ち自由端３７の位置は、スキャナユニット５が図３に示す如く閉鎖位置にあるとき、給送部７に最大限載置可能な枚数の被記録媒体Ｐが載置されている場合に、最上位の被記録媒体Ｐに接触しないか、かろうじて接触するように設定することができる。また図７に示す如く、スキャナユニット５を上方へ回動させていくのに伴い異物落下防止カバー２９が矢印３３の方向へ移動したとき、異物落下防止カバー２９の自由端３７が最上位の被記録媒体Ｐ（被記録媒体が存在しない場合は媒体サポート２３）に当接した時点以降は、異物落下防止カバー２９の自由端３７が最上位の被記録媒体Ｐの表面上（被記録媒体が存在しない場合は媒体サポート２３の表面上）で滑りながら上方へ案内され、異物落下防止カバー２９自体が次第に傾くようになっている。異物落下防止カバー２９は、図１１に示す位置まで最大限回動可能であるが実際の使用状態では図１１に示す位置まで回動することはない。尚、異物落下防止カバー２９の作動の詳細については後述する。
【００２７】
次に媒体サポート２３が閉鎖している状態でスキャナユニット５を開放しようとしたときに、媒体サポート２３が破損することを防止する構造について図１２〜図１７を参照しながら説明する。図１２は、スキャナユニット開放初期状態での異物落下防止カバーの作用を示す側断面図であり、図１３は媒体サポートとスキャナユニットが両方とも閉じている状態を示す側断面図であり、図１４はスキャナユニットを閉じ、媒体サポートを開け始めたときの側断面図であり、図１５は当接作用部が被当接部に当接した状態を示す側断面図であり、図１６は媒体サポートが突出部の上面に案内される状態を示す側断面図であり、図１７はスキャナユニットを最終位置まで開放した状態の側断面図を示す。
【００２８】
図１２に示す如く、スキャナユニット５の後端には上面４０を有する突出部３９が形成されており、該突出部３９の後端上側には滑らかな円弧状に形成された当接作用部４１が形成されている。また媒体サポート２３の前端（使用時に上端となる部分）の下側には、スキャナユニット５を開けるときに当接作用部４１と当接する被当接部４３が形成されている。
【００２９】
また異物落下防止カバー２９の自由端３７には、媒体サポート２３の下面４５に作用して媒体サポート２３を上方へ持ち上げる作用をする持上作用部４７が形成されており、持上作用部４７から斜め前側の下方へ向かって傾斜案内部４９が形成されている。開閉ガイド３５は、スキャナユニット５を開く際の初期に媒体サポート２３を案内する初期ガイド部３５ａと、異物落下防止カバー２９の持上作用部４７を上方へ案内し、媒体サポート２３を上方へ持ち上げる作用を有する前側が斜めに形成された傾斜面３５ｃを備える上昇ガイド部３５ｂとを備えている。尚、符号５１で示す点は、スキャナユニット５が回動する際の回動中心である。
【００３０】
以下、異物落下防止カバー２９の作動、及び媒体サポート２３の閉鎖状態でスキャナユニット５を開放しようとしたときの媒体サポート２３の破損回避作用について説明する。
【００３１】
まず異物落下防止カバー２９は、図２に示す如く媒体サポート２３が開状態であるときに、スキャナユニット５を開放して斜め状態にすることにより、スキャナユニット５上に載っているクリップなどの異物が給送口２７内に落下することを防止するためのものであり、図３に示す如くスキャナユニット５が閉鎖しているときには、異物落下防止カバー２９は相対的に前側の位置にあり、この時、図８に示す如く給送口２７は開いた状態になっている。尚、図３では被記録媒体Ｐが媒体サポート２３上に存在しないが、本例では被記録媒体Ｐが媒体サポート２３上に存在していても、最上位の被記録媒体Ｐと異物落下防止カバー２９の自由端３７との間には空間が形成されているものとする。
【００３２】
図４、図５に示す如くスキャナユニット５を僅かに開けると、スキャナユニット５が回動中心５１の周囲で回動することで、異物落下防止カバー２９は図７中矢印３３の方向へ進行するようになる。このとき異物落下防止カバー２９の自由端３７は、開閉ガイド３５に案内されるとともに（図９参照）、回動軸３１の周囲で図７において反時計回りに自由に回動する。図５に示す位置まで異物落下防止カバー２９が後方に移行すると、異物落下防止カバー２９の自由端３７が最上位の被記録媒体Ｐに接触し、この時点で給送口２７が閉鎖されることになる。
【００３３】
次に図６に示す如くスキャナユニット５を更に大きく開けると、異物落下防止カバー２９は更に図７の矢印３３で示す方向（後方）へ移行しようとする。しかし図５に関して説明したように、既に異物落下防止カバー２９の自由端３７は最上位の被記録媒体Ｐに接触しているから、それ以上矢印３３の方向へ移行することはできない。しかし、異物落下防止カバー２９の自由端３７は円弧状に丸みを帯びて形成されているため、該自由端３７が最上位の被記録媒体Ｐに当接した以降は、自由端３７は最上位の被記録媒体Ｐの表面に案内されて図６中矢印５３で示す如く、上方へ移行するようになる。
【００３４】
このとき異物落下防止カバー２９の自由端３７は最上位の被記録媒体Ｐに当接したままであるから、給送口２７が閉鎖された状態は維持される。仮にこの状態でスキャナユニット５の上面に載っていたクリップ等の異物が給送口２７側へ滑り落ちてきたとしても、異物は異物受け部３０内に落下し、その後の異物落下防止カバー２９の動きに拘わらず、そこに留まる。従って、異物が給送口２７から装置本体３の内側へ誤って入り込むことを防止することができる。図６に示す状態以降、スキャナユニット５を更に開方向に回動させることができるが、これに伴い異物落下防止カバー２９の自由端３７は、上記同様に最上位の被記録媒体Ｐの表面に案内されて給送口２７を閉鎖した状態で矢印５３の方向へ移行する。またスキャナユニット５を閉鎖する場合には、異物落下防止カバー２９は、上記開動作のときの逆の動きをする。
【００３５】
次に媒体サポート２３の閉鎖状態でスキャナユニット５を開放しようとしたときの媒体サポート２３の破損回避作用について、図１２〜図１７を参照しながら説明する。まず図１３は、スキャナユニット５と媒体サポート２３とが閉鎖した状態を示す。この時、スキャナユニット５における突出部３９の当接作用部４１は、媒体サポート２３の被当接部４３から離れた状態にある。
【００３６】
まず図１及び図１３に示す如く、スキャナユニット５と媒体サポート２３との両方が閉鎖した状態では、両者は面一の状態にあり、これにより記録装置全体がほぼ直方体の形状となっている。この状態から図１４に示す如く、媒体サポート２３を閉じたままスキャナユニット５を開放し始めると、上述したようにスキャナユニット５が回動中心５１の周囲で回動することにより、異物落下防止カバー２９が図１２中矢印３３で示す方向に移行する。
【００３７】
これにより異物落下防止カバー２９の自由端３７における傾斜案内部４９が上昇ガイド部３５ｂの傾斜面３５ｃに案内されて、図１２中、矢印５５で示す如く上方へ上がる。これに伴い、異物落下防止カバー２９の自由端３７における持上作用部４７が媒体サポート２３の下面４５に当接してこれを押し上げる（図１４）。その結果、スキャナユニット５の当接作用部４１が、媒体サポート２３の被当接部４３に当接する直前に、媒体サポート２３の先端側が僅かに浮上する（図１２、図１４参照）。
【００３８】
図１５に示す如くスキャナユニット５が更に開くと、スキャナユニット５の当接作用部４１が媒体サポート２３の被当接部４３に当接する。そしてその後、スキャナユニット５が更に開くとき、媒体サポート２３の被当接部４３が、滑らかな円弧状に形成された当接作用部４１に案内されて、媒体サポート２３が若干持ち上げられる。
【００３９】
そして図１６に示す如くスキャナユニット５の開き具合が大きくなると、媒体サポート２３の被当接部４３が突出部３９の上面４０に案内されるようになり、最終的に図１７に示す如く、スキャナユニット５が最大に開放した位置では、媒体サポート２３の被当接部４３が突出部３９の上面４０の最前部付近に至る。
【００４０】
このように媒体サポート２３を閉じたままスキャナユニット５を開け始める初期段階で、異物落下防止カバー２９の自由端３７に形成された持上作用部４７が媒体サポート２３を持ち上げて、媒体サポート２３の先端側を浮上させるから、スキャナユニット５の回動に伴い、スキャナユニット５の当接作用部４１が媒体サポート２３の被当接部４３に食い込んで、媒体サポート２３を破損してしまうことが回避できる。
【００４１】
以上、本発明をスキャナ付き記録装置を例にとって説明したが、スキャナ付き液体噴射装置においても同様に適用可能である。またこの他にも、後端側に突出部を有する回動軸の周りで上方に回動して開放可能な開閉ユニットの後側に、開閉ユニットと同方向に開閉可能な蓋体が隣接しており、蓋体の閉鎖状態で開閉ユニットを開いたときに突出部の一部が蓋体の先端側に形成された被当接部に食い込んで破損する可能性のある装置に関しても、本発明を同様に適用することができる。
【図面の簡単な説明】
【００４２】
【図１】本発明を適用したスキャナ付き記録装置を示す後方斜視図。
【図２】媒体サポートを開放したスキャナ付き記録装置の前方斜視図。
【図３】媒体サポートを開き、スキャナユニットが閉じている記録装置の側断面図。
【図４】媒体サポートを開き、スキャナユニットを若干開けた記録装置の斜視図。
【図５】異物落下防止カバーが最上位の被記録媒体に当接した状態の記録装置の側断面図。
【図６】異物落下防止カバーが被記録媒体に案内され上昇した状態の記録装置の側断面図。
【図７】スキャナユニットと異物落下防止カバーの作動状態を示す記録装置の側断面図。
【図８】媒体サポートを開き、スキャナユニットが閉じている、給送部の拡大斜視図。
【図９】媒体サポートを開き、スキャナユニットを若干開けた、給送部の拡大斜視図。
【図１０】異物落下防止カバー使用位置でのスキャナユニットの斜視図。
【図１１】異物落下防止カバーをスキャナユニット側に倒したスキャナユニットの斜視図。
【図１２】スキャナユニット開放初期状態での異物落下防止カバーの作用を示す側断面図。
【図１３】媒体サポートと、スキャナユニットが閉じている状態の側断面図。
【図１４】スキャナユニットを閉じ、媒体サポートを開け始めたときの側断面図。
【図１５】当接作用部が被当接部に当接した状態の側断面図。
【図１６】媒体サポートが突出部の上面に案内される状態の側断面図。
【図１７】スキャナユニットを最終位置まで開放した状態の側断面図。
【符号の説明】
【００４３】
１  スキャナ付き記録装置、３  装置本体、５  スキャナユニット、
７  被記録媒体給送部、９  排出受け部、１１  操作パネル、１３  回動軸
１５  スキャナ押さえ蓋、１７  回動軸、１９  蓋体、２１  回動軸、
２３  媒体サポート、２５  エッジガイド、２７  給送口、２９  異物落下防止カバー
３０  異物受け部、３１  回動軸、３３  矢印、３５  開閉ガイド、
３５ａ  初期ガイド部、３５ｂ  上昇ガイド部、３５ｃ  傾斜面、
３７  異物落下防止カバーの自由端、３９  突出部、４０  突出部の上面、
４１  当接作用部、４３  被当接部、４５  媒体サポートの下面、４７  持上作用部、
４９  傾斜案内部、５１  回動中心、５３  矢印、５５  矢印、Ｐ  被記録媒体
【図１】
2005223415.tif 000003
【図２】
2005223415.tif 000004
【図３】
2005223415.tif 000005
【図４】
2005223415.tif 000006
【図５】
2005223415.tif 000007
【図６】
2005223415.tif 000008
【図７】
2005223415.tif 000009
【図８】
2005223415.tif 000010
【図９】
2005223415.tif 000011
【図１０】
2005223415.tif 000012
【図１１】
2005223415.tif 000013
【図１２】
2005223415.tif 000014
【図１３】
2005223415.tif 000015
【図１４】
2005223415.tif 000016
【図１５】
2005223415.tif 000017
【図１６】
2005223415.tif 000018
【図１７】
2005223415.tif 000019